(57)【要約】  本明細書には、吸入可能な乾燥粉末を吸入するための吸入器が記載される。吸入器は、（ａ）第１殻部及び第２殻部を含む外殻と、（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、（ｃ）カプセルホルダを支持するための支持体と、（ｄ）カプセルから使用者内への乾燥粉末の通過のための出口と、を備える。カプセルホルダは、開口を含む第１殻部内に位置決めされており、当該開口を通してトリガが突出する。開口は、第１殻部のリムに切欠きを含み、カプセルホルダが第１殻部から取り外されるときに、トリガは、切欠きを通過することができる。支持体は、第１殻部上の１つ以上の第２嵌合部と嵌合するための１つ以上の第１嵌合部を含み、当該第１及び第２嵌合部は、当該第１及び第２嵌合部が相互に係合しているとき、第１殻部の壁の外向きの動きを防止する。【選択図】図１
2021500095.tif 000002
【特許請求の範囲】
【請求項１】
吸入可能な乾燥粉末を吸入するための吸入器であって、
（ａ）第１殻部及び第２殻部を含む外殻と、
（ｂ）カプセルを保持するためのチャンバ、前記チャンバ内に保持されたカプセルを壊して開けるためのカプセル破壊器、及び前記カプセル破壊器に、カプセルを壊して開けさせるためのトリガを含むカプセルホルダと、
（ｃ）前記カプセルホルダを支持するための支持体と、
（ｄ）前記カプセルから使用者内への乾燥粉末の通過のための出口と、を備え、
前記カプセルホルダが、前記第１殻部内に位置決めされており、
前記第１殻部が、前記トリガが通って突出する開口を含み、
前記開口が、前記第１殻部のリムに切欠きを含み、前記カプセルホルダが前記第１殻部から取り外されるときに、前記トリガは、前記切欠きを通過することができ、
前記支持体が、前記第１殻部上の１つ以上の第２嵌合部と嵌合するための１つ以上の第１嵌合部を含み、前記第１及び第２嵌合部は、前記第１及び第２嵌合部が相互に係合しているとき、前記第１殻部の壁の外向きの動きを防止する、吸入器。
【請求項２】
前記１つ以上の第１嵌合部が、１つ以上の雄嵌合部を含み、前記１つ以上の第２嵌合部が、１つ以上の雌嵌合部を含む、請求項１に記載の吸入器。
【請求項３】
前記第１殻部が、前記支持体上の１つ以上の突出部を受容するために、前記第１殻部の壁内又は壁上に１つ以上の空洞を含む、請求項２に記載の吸入器。
【請求項４】
前記１つ以上の雌嵌合部が、前記第１殻部の外壁の厚肉部に形成されている、請求項２又は３に記載の吸入器。
【請求項５】
前記外壁の前記厚肉部が、前記切欠き及び／又は前記開口を少なくとも部分的に取り囲んでいる、請求項４に記載の吸入器。
【請求項６】
前記外壁の前記厚肉部の少なくとも一部が、内皮及び外皮を含む二重皮壁を含み、前記１つ以上の雌嵌合部は、前記内皮と外皮との間に形成されている、請求項４又は５に記載の吸入器。
【請求項７】
前記二重皮壁が、前記内皮と外皮との間の空間を複数の空洞に分割するための１つ以上の横材を含む、請求項６に記載の吸入器。
【請求項８】
前記壁の前記厚肉部の厚さが、前記切欠きから離れた点におけるより太い厚さから、前記切欠きの、又はその付近のより薄い厚さへと先細りになっている、請求項４〜７のいずれか１項に記載の吸入器。
【請求項９】
前記１つ以上の第１嵌合部が、前記支持体の、第１殻部に面する表面から突出している、請求項１〜８のいずれか１項に記載の吸入器。
【請求項１０】
前記支持体が、前記第１殻部上の１つ以上の第４嵌合部と嵌合するための１つ以上の第３嵌合部を含む、請求項１〜９のいずれか１項に記載の吸入器。
【請求項１１】
前記１つ以上の第３嵌合部が、１つ以上の雄嵌合部、例えば、１つ以上の突出部を含み、前記１つ以上の第４嵌合部が、１つ以上の雌嵌合部、例えば、１つ以上の凹部を含む、請求項１０に記載の吸入器。
【請求項１２】
前記１つ以上の第３嵌合部と前記１つ以上の第４嵌合部との係合が、前記支持体と前記第１殻部との間に接続を形成し、前記支持体と前記第１殻部との間に形成された前記接続は、前記１つ以上の第１嵌合部と前記１つ以上の第２嵌合部との係合によって維持されている、請求項１０又は１１に記載の吸入器。
【請求項１３】
前記第１殻部が、下部の殻部であり、前記第２嵌合部と第４嵌合部との間の垂直距離は、前記第１嵌合部の長さ又は深さよりも短い、請求項１０〜１２のいずれか１項に記載の吸入器。
【請求項１４】
前記第３嵌合部が、前記支持体の平面に実質的に平行な方向に延在している、請求項１０〜１３のいずれか１項に記載の吸入器。
【請求項１５】
前記第１嵌合部が、前記支持体の平面に実質的に垂直な方向に延在している、請求項１〜１４のいずれか１項に記載の吸入器。
【請求項１６】
前記トリガが、前記支持体によって支持されている、請求項１〜１５のいずれか１項に記載の吸入器。
【請求項１７】
前記トリガが、前記支持体と摺動可能に係合するように保持されている、請求項１〜１６のいずれか１項に記載の吸入器。
【請求項１８】
前記トリガが、前記支持体の１つ以上のチャネルに沿って移動可能である、請求項１６又は１７に記載の吸入器。
【請求項１９】
前記切欠きが、前記開口よりも狭く、前記トリガは、主本体及び突起を含み、前記切欠きは、前記突起を収容するように形作られ、前記開口は、前記主本体を収容するように形作られている、請求項１〜１８のいずれか１項に記載の吸入器。
【請求項２０】
吸入可能な乾燥粉末を吸入するための吸入器であって、
（ａ）第１殻部及び第２殻部を含む外殻と、
（ｂ）カプセルを保持するためのチャンバ、前記チャンバ内に保持されたカプセルを壊して開けるためのカプセル破壊器、及び前記カプセル破壊器に、カプセルを壊して開けさせるためのトリガを含むカプセルホルダと、
（ｃ）前記カプセルホルダを支持するための支持体と、
（ｄ）前記カプセルから使用者内への乾燥粉末の通過のための出口と、を備え、
前記カプセルホルダが、前記第１殻部内に位置決めされており、
前記第１殻部が、前記トリガが通って突出する開口を含み、
前記開口が、前記第１殻部のリムに切欠きを含み、前記カプセルホルダが前記第１殻部から取り外されるときに、前記トリガは、前記切欠きを通過することができ、
前記第１殻部の壁の少なくとも一部は、厚肉壁を含む、吸入器。
【請求項２１】
前記厚肉壁が、二重皮壁を含む、請求項２０に記載の吸入器。
【請求項２２】
前記厚肉壁が、前記切欠き及び／又は前記開口を少なくとも部分的に取り囲んでいる、請求項２０又は２１に記載の吸入器。
【請求項２３】
吸入可能な乾燥粉末を吸入するための吸入器であって、
（ａ）第１殻部及び第２殻部を含む外殻と、
（ｂ）カプセルを保持するためのチャンバ、前記チャンバ内に保持されたカプセルを壊して開けるためのカプセル破壊器、及び前記カプセル破壊器に、カプセルを壊して開けさせるためのトリガを含むカプセルホルダと、
（ｃ）前記カプセルホルダを支持するための支持体と、
（ｄ）前記カプセルから使用者内への乾燥粉末の通過のための出口と、を備え、
前記カプセルホルダが、前記第１殻部内に位置決めされており、
前記第１殻部が、前記トリガが通って突出する開口を含み、
前記開口が、前記第１殻部のリムに切欠きを含み、前記カプセルホルダが前記第１殻部から取り外されるときに、前記トリガは、前記切欠きを通過することができ、前記切欠きは、前記開口よりも狭く、前記トリガは、主本体及び突起を含み、前記切欠きは、前記突起を収容するように形作られ、前記開口は、前記主本体を収容するように形作られている、吸入器。
【請求項２４】
吸入可能な乾燥粉末を吸入するための吸入器であって、
（ａ）第１殻部及び第２殻部を含む外殻と、
（ｂ）カプセルを保持するためのチャンバ、前記チャンバ内に保持されたカプセルを壊して開けるためのカプセル破壊器、及び前記カプセル破壊器に、カプセルを壊して開けさせるためのトリガを含むカプセルホルダと、
（ｃ）前記カプセルホルダを支持するための支持体と、
（ｄ）前記カプセルから使用者内への乾燥粉末の通過のための出口と、を備え、
前記カプセルホルダが、前記第１殻部内に位置決めされており、
前記第１殻部が、前記トリガが通って突出する開口を含み、
前記開口が、前記第１殻部のリムに切欠きを含み、前記カプセルホルダが前記第１殻部から取り外されるときに、前記トリガは、前記切欠きを通過することができ、
前記支持体が、前記第１殻部上の１つ以上の第２嵌合部と嵌合するための１つ以上の第１嵌合部と、前記第１殻部上の１つ以上の第４嵌合部と嵌合するための１つ以上の第３嵌合部と、を含む、吸入器。
【請求項２５】
前記１つ以上の第３嵌合部と前記１つ以上の第４嵌合部との係合が、前記支持体と前記第１殻部との間に接続を形成し、前記支持体と前記第１殻部との間に形成された前記接続は、前記１つ以上の第１嵌合部と前記１つ以上の第２嵌合部との係合によって維持されている、請求項２４に記載の吸入器。
【発明の詳細な説明】
【技術分野】
【０００１】
本発明は、吸入器、特に、カプセルから乾燥粉末を吸入するための吸入器に関する。
【背景技術】
【０００２】
カプセル内に含まれる乾燥粉末を使用者が吸入するためのさまざまな吸入器が存在する。一般に、そのような吸入器は、カプセルホルダと、カプセルホルダ内に保持されたカプセルを壊して開けるための機構と、カプセルからの粉末を吸入できるマウスピース又はノーズピースと、を備える。外殻の上半分及び下半分がヒンジピン又は他の機械的継手を介して接続された保護ヒンジ付き外殻内に、カプセルホルダ及びマウスピース／ノーズピースを設けることが知られている。同様にヒンジピンを中心に枢動可能であるヒンジ付きプレートは、外殻の上半分を外殻の下半分から分離し、ヒンジ付き外殻の下半分にカプセルホルダを位置決めする、カプセルホルダの支持体として機能する。好都合には、ヒンジ付きプレートは「スナップフィット」接続を介して外殻の下半分に取り付けられているため、必要に応じて取り外すことができるが、通常の使用中は所定の位置にとどまる。カプセルホルダがカプセル破壊機構を作動させるためのトリガを含むことも通例である。典型的には、トリガはボタンの形態であり、外殻の下半分の開口から突出している。ボタンが押されると、カプセルホルダのチャンバ内に保持されたカプセルは、１つ以上の尖った棒によって突き刺され、粉末が放出される。次に、粉末は、マウスピース／ノーズピースを通して吸入することができる。
【０００３】
国際公開第９４／２８９５８号は、ボタンが殻の下半分のリムに形成された「切欠き」内に位置するような吸入器について記載している。これは、ヒンジ付きプレートの接続を解除して、殻の下半分から離れるように枢動させたときに、カプセルホルダとボタンを殻の下半分から取り外すことができるため、特に便利である。しかしながら、切欠きを設けることにより、殻の下半分が撓みやすくなるため、確実な「スナップフィット」の提供には問題がある。
【０００４】
この問題を解決するために、ＥＰ２６４８７８７は、外殻の下半分のリムに切欠きがなく、切欠きのない外側リムの下に押しボタン用の開口が設けられている吸入器について記載している。ＥＰ２６４８７８７は、カプセルホルダと、カプセル開口装置と、ボタンと、を備える「アセンブリ」について記載している。外殻にさらなる構造的支持を提供するために、アセンブリの形状は、殻の下部の形状に一致するように先細りになっている。
【０００５】
しかしながら、ＥＰ２６４８７８７に記載されている吸入器は、外殻の堅い下部を提供するが、切欠きのないリムの提供は、ボタンが押し込まれるか、又は取り外されない限り、カプセルホルダを取り外すことが困難であることを意味する。したがって、ＥＰ２６４８７８７に記載されている吸入器は、取り扱いが簡単ではない。さらに、開口の上のリムの部分は非常に薄いため、繰り返し使用する間に簡単に破損する可能性がある。
【０００６】
したがって、本発明の目的は、上記の特定された問題を軽減しようとすることである。
【発明の概要】
【０００７】
本発明の一態様によれば、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
開口は、第１殻部のリムに切欠きを含み、カプセルホルダが第１殻部から取り外されるときに、トリガは、切欠きを通過することができ、
支持体は、第１殻部上の１つ以上の第２嵌合部と嵌合するための１つ以上の第１嵌合部を含み、当該第１及び第２嵌合部は、当該第１及び第２嵌合部が相互に係合しているとき、第１殻部の壁の外向きの動きを防止する。
【０００８】
注目すべきことに、本発明は、支持体と第１殻部との間の接続、好ましくはスナップフィット接続の完全な状態が維持されるように、第１殻部の壁を安定させる。これは、第１殻部のリムに切欠きが存在するにもかかわらず、である。
【０００９】
好ましくは、第１殻部の対向する壁の外向きの動きが防止される。
【００１０】
好ましくは、第１殻部は、吸入器の基部を含む。
【００１１】
好ましくは、第１殻部は、下部の殻部であり、第２殻部は上部の殻部である。
【００１２】
注目すべきことに、本発明は、第１殻部の上部リムに切欠きを設けることを可能にするだけでなく、同時に、撓みやすい外壁によって引き起こされる殻の不安定性の問題を克服する。したがって、本発明は、ヒンジ付きプレートが、使用中、下部の殻部に接続されたままであるが、使用者が誤って外すことなく、依然として、必要に応じて取り外すことができるように、ヒンジ付きプレートの第１殻部への安全で取り外し可能な取り付けが、所定の予測可能な「スナップフィット」力で達成される吸入器を提供する。
【００１３】
好ましくは、１つ以上の第１嵌合部は、１つ以上の雄嵌合部、例えば、１つ以上の突出部を含み、１つ以上の第２嵌合部は、１つ以上の雌嵌合部、例えば、１つ以上の凹部を含む。
【００１４】
あるいは、１つ以上の第１嵌合部は、１つ以上の雌嵌合部、例えば、１つ以上の凹部を含み、１つ以上の第２嵌合部は、１つ以上の雄嵌合部、例えば、１つ以上の突出部を含む。
【００１５】
好ましくは、支持体は、支持プレートを含む。
【００１６】
好ましくは、支持体は、第１殻部にヒンジで連結されている。
【００１７】
好ましくは、第１殻部及び第２殻部はヒンジを介して接続されている。
【００１８】
好ましくは、支持体、第１殻部及び第２殻部は、共通のヒンジ、好ましくはヒンジピンを介して接続されている。
【００１９】
好ましくは、支持体は、第１殻部上の１つ以上の第４嵌合部と嵌合するための１つ以上の第３嵌合部を含む。
【００２０】
好ましくは、１つ以上の第３嵌合部は、１つ以上の雄嵌合部、例えば、１つ以上の突出部を含み、１つ以上の第４嵌合部は、１つ以上の雌嵌合部、例えば、１つ以上の凹部を含む。
【００２１】
あるいは、１つ以上の第３嵌合部は、１つ以上の雌嵌合部、例えば、１つ以上の凹部を含み、１つ以上の第４嵌合部は、１つ以上の雄嵌合部、例えば、１つ以上の突出部を含む。
【００２２】
好ましくは、１つ以上の第３嵌合部と１つ以上の第４嵌合部との係合は、支持体と第１殻部との間に接続、好ましくはスナップフィット接続を形成している。
【００２３】
好ましくは、支持体と第１殻部との間に形成された接続は、１つ以上の第１嵌合部と１つ以上の第２嵌合部との係合により維持されている。
【００２４】
好ましくは、第１殻部は、下部の殻部であり、第２嵌合部と第４嵌合部との間の垂直距離は、第１嵌合部の長さ又は深さよりも短い。
【００２５】
好ましくは、第１殻部は、下部の殻部であり、１つ以上の第２嵌合部、好ましくは１つ以上の第２嵌合部の開口部と、１つ以上の第４嵌合部の縁部、好ましくは上縁部又は下縁部との間の垂直距離は、１つ以上の第１嵌合部の長さ又は深さよりも短い。
【００２６】
好ましくは、１つ以上の第１嵌合部の長さ又は深さは、約２ｍｍ〜約５ｍｍ、好ましくは約２ｍｍ〜約４ｍｍ、好ましくは約３ｍｍである。
【００２７】
好ましくは、１つ以上の第２嵌合部、好ましくは１つ以上の第２嵌合部の開口部と、１つ以上の第４嵌合部の上縁部又は下縁部との間の垂直距離は、約０．５ｍｍ〜約２ｍｍ、好ましくは約０．５ｍｍ〜約１．５ｍｍ、好ましくは約１ｍｍである。
【００２８】
好ましくは、（ａ）１つ以上の第２嵌合部と１つ以上の第４嵌合部の上縁部又は下縁部との間の距離と、（ｂ）１つ以上の第１嵌合部の長さ又は深さとの差は、約１ｍｍ〜約４ｍｍ、好ましくは約１ｍｍ〜約３ｍｍ、好ましくは約２ｍｍである。
【００２９】
これは、支持体が第１殻部との係合から外れたときに、第３及び第４嵌合部が、第１及び第２嵌合部の前に互いに係合解除することを意味する。これはまた、支持体が第１殻部と係合するように動いたとき、第１及び第２嵌合部が第３及び第４嵌合部の前に係合することを意味する。これにより、第１及び第２嵌合部の係合が可能になり、第１殻部が安定し、第３及び第４嵌合部の確実な係合が可能になる。
【００３０】
これにより、「スナップフィット」接続の係合中及び係合後の両方で第１殻部に剛性がもたらされ、支持体と第１殻部とが係合したときに接続の完全な状態が常に維持されることを保証する。
【００３１】
好ましくは、１つ以上の第１嵌合部は、支持体の平面に実質的に垂直な方向に延在している。
【００３２】
好ましくは、１つ以上の第３嵌合部は、支持体の平面に実質的に平行な方向に延在している。
【００３３】
好ましくは、第１殻部は、支持体上の１つ以上の雄嵌合部を受容するために、第１殻部の壁内又は壁上に１つ以上の雌嵌合部を含む。
【００３４】
好ましくは、第１殻部は、支持体上の１つ以上の突出部を受容するために、第１殻部の壁内又は壁上に１つ以上の空洞及び／又は１つ以上の凹部を含む。
【００３５】
好ましくは、１つ以上の空洞は、１つ以上のポケットを含む。
【００３６】
そのため、支持体は、第１殻部の壁内又は壁上の１つ以上の空洞に挿入するための１つ以上の突出部を含むことが好ましい。
【００３７】
好ましくは、第１殻部は、支持体上の１つ以上の突出部を受容するために、第１殻部の壁内又は壁上に１つ以上の凹部を含む。
【００３８】
そのため、支持体は、第１殻部の壁内又は壁上の１つ以上の凹部に挿入するための１つ以上の突出部を含むことが好ましい。
【００３９】
好ましくは、第１殻部は、支持体上の１つ以上の第１突出部を受容するための１つ以上の空洞と、支持体上の１つ以上の第２突出部を受容するための１つ以上の凹部と、を含む。
【００４０】
好ましくは、１つ以上の第１突出部は、支持体の平面に実質的に垂直な方向に突出している。好ましくは、第１殻部は、下部の殻部であり、１つ以上の第１突出部は、下向き方向に突出している。
【００４１】
好ましくは、１つ以上の第１突出部は、下向きに突出している突出部である。
【００４２】
好ましくは、１つ以上の第１突出部は、支持体が第１殻部と係合するように動いたとき、１つ以上の第２突出部が１つ以上の凹部と係合する前に、１つ以上の空洞と係合するような大きさである。
【００４３】
好ましくは、１つ以上の第２突出部は、支持体の平面に実質的に平行な方向に突出している。好ましくは、第１殻部は、下部の殻部であり、１つ以上の第２突出部は、横方向／横向き方向に突出している。好ましくは、１つ以上の第２突出部は、横方向／横向きに突出している突出部である。
【００４４】
好ましくは、１つ以上の第２突出部は、支持体が第１殻部との係合から外れたときに、１つ以上の第１突出部が１つ以上の空洞から係合解除する前に、１つ以上の凹部から係合解除するような大きさである。
【００４５】
これにより、「スナップフィット」接続の係合中及び係合後の両方で第１殻部に剛性がもたらされ、支持体と第１殻部とが係合したときに接続の完全な状態が常に維持されることを保証する。
【００４６】
好ましくは、第１殻部は、下部の殻部であり、（ｉ）第１殻部の１つ以上の空洞の開口部と、（ｉｉ）第１殻部の１つ以上の凹部の開口部の上縁部との間の垂直距離は、支持体上の１つ以上の第１突出部の長さよりも短い。
【００４７】
好ましい実施形態では、
（ａ）１つ以上の第１突出部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の上縁部との間の垂直距離は、約０．５ｍｍ〜約２ｍｍ、好ましくは約０．５ｍｍ〜約１．５ｍｍ、好ましくは約１ｍｍである。
【００４８】
好ましくは、
（ａ）（ｉ）１つ以上の空洞の開口部と、（ｉｉ）１つ以上の凹部の開口部の上縁部との間の距離と、
（ｂ）１つ以上の第１突出部の長さとの差は、
約１ｍｍ〜約４ｍｍ、好ましくは約１ｍｍ〜約３ｍｍ、好ましくは約２ｍｍである。
【００４９】
好ましくは、支持体が下部の殻部と係合しているとき、１つ以上の凹部は、支持体に隣接し、１つ以上の空洞は、支持体の下にある。
【００５０】
好ましくは、支持体が下部の殻部と係合しているとき、１つ以上の凹部は、支持体と同じ平面にあり、１つ以上の空洞は、支持体の平面の下にある。
【００５１】
好ましくは、１つ以上の第２嵌合部は、第１殻部の支持体に面する表面内又はその上に形成されている。
【００５２】
好ましくは、１つ以上の第２嵌合部は、第１殻部の外壁の厚肉部内又はその上に形成されている。
【００５３】
好ましくは、１つ以上の雌嵌合部、好ましくは空洞は、第１殻部の外壁の厚肉部内に形成されている。
【００５４】
好ましくは、外壁の厚肉部は、切欠き及び／又は開口を少なくとも部分的に取り囲んでいる。
【００５５】
好ましくは、外壁の厚肉部は、切欠きの各側面又はその付近に設けられている。
【００５６】
好ましくは、外壁の厚肉部は、切欠きに隣接する開口の各側面の少なくとも一部に沿って設けられている。別の言い方をすれば、外壁の厚肉部は、開口の上部の各側面に設けられていることが好ましい。
【００５７】
好ましくは、第１殻部の外壁の厚肉部の少なくとも一部は、内皮及び外皮を含む二重皮壁であり、当該１つ以上の空洞は、当該内皮と外皮との間に形成されている。
【００５８】
好ましくは、二重皮壁は、当該内皮と外皮との間の空間を複数の空洞に分割するための１つ以上の横材を含む。
【００５９】
好ましくは、壁の厚肉部、好ましくは二重皮壁の厚さは、切欠きから離れた点におけるより太い厚さから、切欠きの、又はその付近のより薄い厚さへと先細りになっている。
【００６０】
好ましくは、壁の厚肉部、好ましくは二重皮壁の長さは、第１殻部のリムの、又はその付近のより長い長さから、第１殻部のリムから離れた点の、例えば、第１殻部の基部の、又はその付近のより短い長さまで先細りになっている。
【００６１】
好ましくは、１つ以上の第１嵌合部は、支持体の第１殻部に面する表面内又はその上に形成されている。
【００６２】
好ましくは、１つ以上の第１嵌合部は、支持体の下面内又はその上に形成されている。
【００６３】
好ましくは、１つ以上の第４嵌合部は、第１殻部の直立壁内又はその上に形成されている。
【００６４】
好ましくは、１つ以上の第３嵌合部は、支持体の縁部内又はその上に形成されている。
【００６５】
好ましくは、１つ以上の第３嵌合部は、横方向の嵌合部である。
【００６６】
好ましくは、１つ以上の雄嵌合部、好ましくは突出部は、支持体の、第１殻部に面する表面から突出している。
【００６７】
好ましくは、１つ以上の雄嵌合部、好ましくは突出部は、支持体の縁部又はその付近に位置決めされている。
【００６８】
本発明の好ましい実施形態は、支持体上に雄嵌合部を設け、第１殻部上に雌嵌合部を設けているが、第１及び／又は第３嵌合部は、雌嵌合部、例えば、支持体上に形成された凹部又は空洞であってもよく、第２及び／又は第４嵌合部は、雄嵌合部、例えば、第１殻部上に形成された突出部であってもよいことが理解されよう。
【００６９】
好ましくは、第１殻部は、支持体上の１つ以上の雌嵌合部と係合するために、第１殻部の壁内又は壁上に１つ以上の雄嵌合部を含む。
【００７０】
好ましくは、支持体は、第１殻部上の１つ以上の突出部を受容するために、支持体の壁内もしくは表面内又は壁上もしくは表面上に１つ以上の空洞及び／又は凹部を含む。
【００７１】
好ましくは、１つ以上の空洞は、１つ以上のポケットを含む。
【００７２】
そのため、第１殻部は、支持体内又は支持体上の１つ以上の空洞に挿入するための１つ以上の突出部を含んでもよい。
好ましくは、支持体は、第１殻部上の１つ以上の第１突出部を受容するための１つ以上の空洞と、第１殻部上の１つ以上の第２突出部を受容するための１つ以上の凹部と、を含む。
【００７３】
好ましくは、１つ以上の第１突出部は、支持体の平面に実質的に垂直な方向に突出している。好ましくは、第１殻部は、下部の殻部であり、１つ以上の第１突出部は、上向き方向に突出している。好ましくは、１つ以上の第１突出部は、上向きに突出している突出部である。
【００７４】
好ましくは、１つ以上の第２突出部は、支持体の平面に実質的に平行な方向に突出している。好ましくは、第１殻部は、下部の殻部であり、１つ以上の第２突出部は、横方向／横向き方向に突出している。好ましくは、１つ以上の第２突出部は、横方向／横向きに突出している突出部である。
【００７５】
好ましくは、１つ以上の第１突出部は、支持体が第１殻部と係合するように動いたとき、１つ以上の第２突出部が１つ以上の凹部と係合する前に、１つ以上の空洞と係合するような大きさである。
【００７６】
好ましくは、１つ以上の第２突出部は、支持体が第１殻部との係合から外れたときに、１つ以上の第１突出部が１つ以上の空洞から係合解除する前に、１つ以上の凹部から係合解除するような大きさである。
【００７７】
これにより、「スナップフィット」接続の係合中及び係合後の両方で第１殻部に剛性がもたらされ、支持体と第１殻部とが係合したときに接続の完全な状態が常に維持されていることを保証する。
【００７８】
好ましくは、第１殻部は、下部の殻部であり、（ｉ）支持体の１つ以上の空洞の開口部と、（ｉｉ）支持体の１つ以上の凹部の開口部の下縁部との間の垂直距離は、第１殻部上の１つ以上の第１突出部の長さよりも短い。
好ましい実施形態では、
（ａ）１つ以上の第１突出部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の下縁部との間の垂直距離は、約０．５ｍｍ〜約２ｍｍ、好ましくは約０．５ｍｍ〜約１．５ｍｍ、好ましくは約１ｍｍである。
【００７９】
好ましくは、
（ａ）（ｉ）１つ以上の空洞の開口部と、（ｉｉ）１つ以上の凹部の開口部の下縁部との間の距離と、
（ｂ）１つ以上の第１突出部の長さとの差は、
約１ｍｍ〜約４ｍｍ、好ましくは約１ｍｍ〜約３ｍｍ、好ましくは約２ｍｍである。
【００８０】
好ましくは、１つ以上の凹部は、支持体の側面に設けられ、１つ以上の空洞は、支持体の下面に設けられている。
【００８１】
好ましくは、１つ以上の雄嵌合部、好ましくは突出部は、第１殻部の支持体に面する表面から突出している。
【００８２】
好ましくは、１つ以上の雌嵌合部、好ましくは凹部は、支持体の縁部又はその付近に位置決めされている。
【００８３】
（ａ）１つ以上の凹部／空洞は、第１殻部に設けられ、１つ以上の第１及び第２突起は、支持体上に設けられているか、又は、（ｂ）１つ以上の凹部／空洞は、支持体に設けられ、１つ以上の第１及び第２突出部は、第１殻部に設けられているという実施形態に加えて、さらなる実施形態では、（ｃ）１つ以上の凹部及び１つ以上の第１突出部は、支持体上又は支持体内に設けられ、１つ以上の空洞及び１つ以上の第２突出部は、第１殻部上又は第１殻部内に設けられているか、又は（ｄ）１つ以上の凹部及び１つ以上の第１突出部は、第１殻部上又は第１殻部内に設けられ、１つ以上の空洞及び１つ以上の第２突出部は、支持体上又は支持体内に設けられ得ることが理解されよう。
【００８４】
そのため、いくつかの実施形態では、第１殻部は、下部の殻部であり、（ｉ）第１殻部の１つ以上の空洞の開口部と、（ｉｉ）支持体の１つ以上の凹部の開口部の下縁部との間の垂直距離は、支持体上の１つ以上の第１突出部の長さよりも短いことが好ましい。
【００８５】
このような実施形態では、
（ａ）１つ以上の第１突出部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の下縁部との間の垂直距離は、約０．５ｍｍ〜約２ｍｍ、好ましくは約０．５ｍｍ〜約１．５ｍｍ、好ましくは約１ｍｍであることが好ましい。
【００８６】
好ましくは、
（ａ）（ｉ）１つ以上の空洞の開口部と、（ｉｉ）１つ以上の凹部の開口部の下縁部との間の距離と、
（ｂ）１つ以上の第１突出部の長さとの差は、
約１ｍｍ〜約４ｍｍ、好ましくは約１ｍｍ〜約３ｍｍ、好ましくは約２ｍｍである。
【００８７】
他の実施形態では、第１殻部は、下部の殻部であり、（ｉ）支持体の１つ以上の空洞の開口部と、（ｉｉ）第１殻部の１つ以上の凹部の開口部の上縁部との間の垂直距離は、第１殻部上の１つ以上の第１突出部の長さよりも短いことが好ましい。
【００８８】
このような実施形態では、
（ａ）１つ以上の第１突出部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の上縁部との間の垂直距離は、約０．５ｍｍ〜約２ｍｍ、好ましくは約０．５ｍｍ〜約１．５ｍｍ、好ましくは約１ｍｍであることが好ましい。
【００８９】
好ましくは、
（ａ）（ｉ）１つ以上の空洞の開口部と、（ｉｉ）１つ以上の凹部の開口部の上縁部との間の距離と、
（ｂ）１つ以上の第１突出部の長さとの差は、
約１ｍｍ〜約４ｍｍ、好ましくは約１ｍｍ〜約３ｍｍ、好ましくは約２ｍｍである。
【００９０】
好ましくは、１つ以上の凹部が第１殻部上にある実施形態では、第１殻部は、下部の殻部であり、（ｉ）１つ以上の空洞の開口部と、（ｉｉ）１つ以上の凹部の開口部の上縁部との間の垂直距離は、１つ以上の第１嵌合部の長さよりも短い。
【００９１】
このような実施形態では、
（ａ）１つ以上の第１嵌合部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の上縁部との間の垂直距離は、約０．５ｍｍ〜約２ｍｍ、好ましくは約０．５ｍｍ〜約１．５ｍｍ、好ましくは約１ｍｍであることが好ましい。
【００９２】
好ましくは、
（ａ）（ｉ）１つ以上の空洞の開口部と、（ｉｉ）１つ以上の凹部の開口部の上縁部との間の距離と、
（ｂ）１つ以上の第１嵌合部の長さとの差は、
約１ｍｍ〜約４ｍｍ、好ましくは約１ｍｍ〜約３ｍｍ、好ましくは約２ｍｍである。
【００９３】
好ましくは、１つ以上の凹部が支持体上にある実施形態では、第１殻部は、下部の殻部であり、（ｉ）１つ以上の空洞の開口部と、（ｉｉ）１つ以上の凹部の開口部の下縁部との間の垂直距離は、１つ以上の第１嵌合部の長さよりも短い。
【００９４】
このような実施形態では、
（ａ）１つ以上の第１嵌合部の長さは、約２ｍｍ〜約５ｍｍ、好ましくは約２ｍｍ〜約４ｍｍ、好ましくは約３ｍｍであり、
（ｂ）（ｉ）１つ以上の空洞の開口部と、（ｉｉ）１つ以上の凹部の開口部の下縁部との間の垂直距離は、約０．５ｍｍ〜約２ｍｍ、好ましくは約０．５ｍｍ〜約１．５ｍｍの、好ましくは約１ｍｍであることが好ましい。
【００９５】
好ましくは、
（ａ）（ｉ）１つ以上の空洞の開口部と、（ｉｉ）１つ以上の凹部の開口部の下縁部との間の距離と、
（ｂ）１つ以上の第１嵌合部の長さとの差は、
約１ｍｍ〜約４ｍｍ、好ましくは約１ｍｍ〜約３ｍｍ、好ましくは約２ｍｍである。
【００９６】
好ましくは、１つ以上の第１嵌合部、好ましくは１つ以上の突出部、好ましくは１つ以上の第１突出部の外面は、実質的に平坦である。
【００９７】
好ましくは、１つ以上の第１嵌合部、好ましくは１つ以上の突出部、好ましくは１つ以上の第１突出部の内面は、実質的に平坦である。
【００９８】
好ましくは、１つ以上の第１嵌合部、好ましくは１つ以上の突出部、好ましくは１つ以上の第１突出部は、先細の端部を含む。
【００９９】
好ましくは、１つ以上の第１嵌合部、好ましくは１つ以上の突出部、好ましくは１つ以上の第１突出部の内面は、先細りである。
【０１００】
好ましくは、１つ以上の第１嵌合部、好ましくは１つ以上の突出部、好ましくは１つ以上の第１突出部の内面は、突出部が突出している先細の端部と支持体との間で実質的に平坦である。
【０１０１】
好ましくは、第１殻部は、下部の殻部であり、吸入器は、当該第３及び第４嵌合部を含み、第２嵌合部と第４嵌合部との間の垂直距離は、先細の端部と支持体との間の１つ以上の第１嵌合部の実質的に平坦な部分の長さよりも短い。
【０１０２】
好ましくは、１つ以上の凹部が第１殻部上にある実施形態では、第１殻部は、下部の殻部であり、（ｉ）１つ以上の空洞の開口部と、（ｉｉ）１つ以上の凹部の開口部の上縁部との間の垂直距離は、先細の端部と支持体との間の１つ以上の第１嵌合部の実質的に平坦な部分の長さよりも短い。
【０１０３】
このような実施形態では、
（ａ）実質的に平坦な部分の長さは、約１ｍｍ〜約３ｍｍ、好ましくは約１ｍｍ〜約２ｍｍ、好ましくは約１．５ｍｍであり、
（ｂ）（ｉ）１つ以上の空洞の開口部と、（ｉｉ）１つ以上の凹部の開口部の上縁部との間の垂直距離は、約０．５ｍｍ〜約２ｍｍ、好ましくは約０．５ｍｍ〜約１．５ｍｍ、好ましくは約１ｍｍであることが好ましい。
【０１０４】
好ましくは、
（ａ）（ｉ）１つ以上の空洞の開口部と、（ｉｉ）１つ以上の凹部の開口部の上縁部との間の距離と、
（ｂ）実質的に平坦な部分の長さとの差は、
約０．５ｍｍ〜約２ｍｍ、好ましくは約０．５ｍｍ〜約１ｍｍ、好ましくは約０．５ｍｍである。
【０１０５】
好ましくは、１つ以上の凹部が支持体上にある実施形態では、第１殻部は、下部の殻部であり、（ｉ）１つ以上の空洞の開口部と、（ｉｉ）１つ以上の凹部の開口部の下縁部との間の垂直距離は、先細の端部と支持体との間の１つ以上の第１嵌合部の実質的に平坦な部分の長さよりも短い。
【０１０６】
このような実施形態では、
（ａ）実質的に平坦な部分の長さは、約１ｍｍ〜約３ｍｍ、好ましくは約１ｍｍ〜約２ｍｍ、好ましくは約１．５ｍｍであり、
（ｂ）（ｉ）１つ以上の空洞の開口部と、（ｉｉ）１つ以上の凹部の開口部の下縁部との間の垂直距離は、約０．５ｍｍ〜約２ｍｍ、好ましくは約０．５ｍｍ〜約１．５ｍｍ、好ましくは約１ｍｍであることが好ましい。
【０１０７】
好ましくは、
（ａ）（ｉ）１つ以上の空洞の開口部と、（ｉｉ）１つ以上の凹部の開口部の下縁部との間の距離と、
（ｂ）実質的に平坦な部分の長さとの差は、
約０．５ｍｍ〜約２ｍｍ、好ましくは約０．５ｍｍ〜約１ｍｍ、好ましくは約０．５ｍｍである。
【０１０８】
好ましくは、１つ以上の第１嵌合部、好ましくは１つ以上の突出部は、突出部が突出している先細の端部と支持体との間で実質的に均一な厚さである。
【０１０９】
好ましくは、トリガは、リムの切欠きを少なくとも部分的に充填するように形作られている。これは、第１殻部にさらなる構造的支持を提供するだけでなく、使用者がボタンと支持体を第１殻部から持ち上げることができる便利なレバーも提供する。
【０１１０】
好ましくは、トリガは、切欠きによって形成されたリムのすき間を埋めるように形作られている。
【０１１１】
好ましくは、トリガは、リムの切欠きを少なくとも部分的に充填するための突出部を含む。好ましくは、突出部は、切欠きによって形成されたリムのすき間を埋めるように形作られている。
【０１１２】
好ましくは、支持体は、リムの切欠きを少なくとも部分的に充填するように形作られている。トリガの形状と同様に、これは、第１（下部の）殻部にさらなる構造的支持を提供するだけでなく、使用者が支持体を第１（下部の）殻部からを持ち上げることができる便利なレバーも提供する。
【０１１３】
好ましくは、支持体は、切欠きによって形成されたリムのすき間を埋めるように形作られている。
【０１１４】
好ましくは、支持体は、リムの切欠きを少なくとも部分的に充填するための突出部を含む。好ましくは、突出部は、切欠きによって形成されたリムのすき間を埋めるように形作られている。
【０１１５】
好ましくは、リムの切欠きは、トリガと支持体の両方によって少なくとも部分的に充填されている。
【０１１６】
好ましくは、トリガと支持体の両方は、切欠きによって形成されたリムのすき間を埋める。
好ましくは、第２殻部のリムは、第１殻部のリムの切欠きに重なるように形作られている。これは、外殻が閉位置にあるときに、切欠きの周りの吸入器にさらなる構造的支持及び保護を提供する。
【０１１７】
好ましくは、第１及び第２殻部は、第１殻部のリムの下の第１殻部の外側に位置決めされたヒンジによって一緒にヒンジで連結されている。
【０１１８】
さらに好ましくは、第２殻部のリムは、ヒンジに隣接する第１殻部と重なるように形作られている。これは、外殻が閉位置にあるときに、ヒンジにさらなる構造的支持を提供するため、特に有効である。
【０１１９】
好ましくは、第２殻部のリムは、ヒンジに隣接し、切欠きの上で、ヒンジと切欠きとの間の位置よりも大きい量だけ第１殻部と重なる。このような形状のリム輪郭は、第２殻部の強度を高めるだけでなく、外殻に使用される材料の量を最小限に抑えることが見出されているため、これは有効である。
【０１２０】
好ましくは、第１殻部は、第１殻部に構造的支持を提供するための１つ以上のリブを含む。
【０１２１】
好ましくは、トリガは、支持体によって支持されている。
【０１２２】
好ましくは、トリガは、支持体と摺動可能に係合して保持されている。
【０１２３】
好ましくは、トリガは、支持体の１つ以上のチャネルに沿って移動可能である。
【０１２４】
好ましくは、トリガは、一対のチャネルに沿って移動可能である。
【０１２５】
好ましくは、トリガは、支持体、好ましくは支持体の１つ以上のチャネルと摺動可能に係合するための１つ以上の突出部を含む。
【０１２６】
好ましくは、トリガは、支持体の第１チャネルと摺動可能に係合するための第１突出部と、支持体の第２チャネルと摺動可能に係合するための第２突出部と、を含む。
【０１２７】
好ましくは、１つ以上のチャネルは、支持体の下面に設けられている。
【０１２８】
好ましくは、切欠きは、開口よりも狭く、当該トリガは、主本体及び突起を含み、切欠きは、当該突起を収容するように形作られ、開口は、主本体を収容するように形作られている。
【０１２９】
本発明の別の態様によれば、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
開口は、第１殻部のリムに切欠きを含み、カプセルホルダが第１殻部から取り外されるときに、トリガは、切欠きを通過することができ、
第１殻部の壁の少なくとも一部は、厚肉壁を含む。
【０１３０】
好ましくは、厚肉壁は、二重皮壁を含む。
【０１３１】
好ましくは、第１殻部は、支持体上の１つ以上の突出部を受容するために、第１殻部の厚肉壁内に１つ以上の空洞を含む。
【０１３２】
好ましくは、１つ以上の空洞は、１つ以上のポケットを含む。
好ましくは、厚肉壁は、切欠き及び／又は開口を少なくとも部分的に取り囲んでいる。
【０１３３】
好ましくは、厚肉壁は、切欠きの各側面又はその付近に設けられている。
【０１３４】
好ましくは、厚肉壁は、切欠きに隣接する開口の各側面の少なくとも一部に沿って設けられている。別の言い方をすれば、厚肉壁は、開口の上部の各側面に設けられていることが好ましい。
【０１３５】
好ましくは、第１殻部の厚肉壁の少なくとも一部は、内皮及び外皮を含む二重皮壁である。
【０１３６】
好ましくは、第１殻部の厚肉壁の少なくとも一部は、内皮及び外皮を含む二重皮壁であり、１つ以上の空洞は、当該内皮と外皮との間に形成されている。
【０１３７】
好ましくは、二重皮壁は、当該内皮と外皮との間の空間を複数の空洞に分割するための１つ以上の横材を含む。
【０１３８】
好ましくは、厚肉壁、好ましくは二重皮壁の厚さは、切欠きから離れた点におけるより太い厚さから、切欠きの、又はその付近のより薄い厚さへと先細りになっている。
【０１３９】
好ましくは、厚肉壁、好ましくは二重皮壁の長さは、第１殻部のリムの、又はその付近のより長い長さから、第１殻部のリムから離れた点の、例えば、第１殻部の基部の、又はその付近のより短い長さまで先細りになっている。
【０１４０】
本発明のさらなる態様によれば、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
開口は、第１殻部のリムに切欠きを含み、カプセルホルダが第１殻部から取り外されるときに、トリガは、切欠きを通過することができ、切欠きは、開口よりも狭く、トリガは、主本体及び突起を含み、切欠きは、突起を収容するように形作られ、開口は、主本体を収容するように形作られている。
【０１４１】
このような構成は、トリガを第１殻部から依然として簡単に取り外すことができるが、同時に、切欠きの大きさ、したがって第１殻部の安定性への影響が低減されるため、吸入器の外壁に強度を提供するのに特に効果的である。
【０１４２】
切欠きが開口よりも狭いことへの言及は、吸入器を正面から見たときの切欠き及び開口のそれぞれの幅に言及していることが理解されよう。これは、特に図５を参照して示されている。
【０１４３】
本発明の別の態様によれば、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
トリガは、支持体によって支持されている。
【０１４４】
好ましくは、開口は、第１殻部のリムに切欠きを含み、カプセルホルダが第１殻部から取り外されるときに、トリガは、切欠きを通過することができる。
【０１４５】
好ましくは、トリガは、支持体と摺動可能に係合して保持される。
【０１４６】
好ましくは、トリガは、支持体の１つ以上のチャネルに沿って移動可能である。
【０１４７】
好ましくは、トリガは、一対のチャネルに沿って移動可能である。
【０１４８】
好ましくは、トリガは、支持体、好ましくは支持体の１つ以上のチャネルと摺動可能に係合するための１つ以上の突出部を含む。
【０１４９】
好ましくは、トリガは、支持体の第１チャネルと摺動可能に係合するための第１突出部と、支持体の第２チャネルと摺動可能に係合するための第２突出部と、を含む。
【０１５０】
好ましくは、１つ以上のチャネルは、支持体の下面に設けられている。
【０１５１】
本発明のさらなる態様によれば、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
開口は、第１殻部のリムに切欠きを含み、カプセルホルダが第１殻部から取り外されるときに、トリガは、切欠きを通過することができ、
支持体は、第１殻部上の１つ以上の第２嵌合部と嵌合するための１つ以上の第１嵌合部と、第１殻部上の１つ以上の第４嵌合部と嵌合するための１つ以上の第３嵌合部と、を含む。
【０１５２】
好ましくは、１つ以上の第３嵌合部と１つ以上の第４嵌合部との係合は、支持体と第１殻部との間に接続、好ましくはスナップフィット接続を形成する。
【０１５３】
好ましくは、支持体と第１殻部との間に形成された接続は、１つ以上の第１嵌合部と１つ以上の第２嵌合部との係合により維持されている。
【０１５４】
「１つ以上」への言及は、「複数」への言及を含むことが理解されよう。
【０１５５】
「少なくとも部分的に」への言及は、「完全に」への言及を含むことが理解されよう。
【０１５６】
「少なくとも一部」への言及は、「すべて」への言及を含むことが理解されよう。
【０１５７】
本明細書において、「約」という用語は、プラス又はマイナス２０％、より好ましくはプラス又はマイナス１０％、さらにより好ましくはプラス又はマイナス５％、最も好ましくはプラス又はマイナス２％を意味する。
【０１５８】
好ましくは、「垂直」への言及は、支持体の平面に実質的に垂直な方向への言及である。
【０１５９】
第１嵌合部が雄嵌合部である実施形態では、「１つ以上の第１嵌合部の長さ」は、１つ以上の第１嵌合部、好ましくは１つ以上の突出部が支持体から突出している距離を意味することが理解されよう。
【０１６０】
第２嵌合部が雄嵌合部である実施形態では、「１つ以上の第２嵌合部の長さ」は、１つ以上の第２嵌合部、好ましくは突出部が第１殻部から突出している距離を意味することが理解されよう。
【０１６１】
本明細書において、例えば、凹部又は空洞に関する「深さ」への言及は、凹部又は空洞の深さ、例えば、凹部又は空洞が支持体又は第１殻部に突出している距離に関するその通常の意味を付与することが理解されよう。
【０１６２】
本明細書において、「支持体の平面に実質的に垂直」とは、支持体の平面に対して約８０度〜約１００度の間、好ましくは約８５度〜約９５度の間、好ましくは約９０度以内、好ましくは支持体の平面に対して９０度を意味することが理解されよう。
【０１６３】
本明細書において、「支持体の平面に実質的に平行」とは、支持体の平面に対して約１０度以内、好ましくは約５度以内、好ましくは支持体の平面に対して約３度以内、好ましくは支持体の平面に平行であることを意味することが理解されよう。
【０１６４】
好ましくは、「実質的に平坦」とは、平坦を意味する。
【０１６５】
好ましくは、「実質的に平坦」とは、先細りでないことを意味する。
【０１６６】
「第１殻部の壁」への言及は、殻部の対向する壁への言及を含むことが理解されよう。例えば、第１殻部は、リムによって境界付けられた開口部の両側に対向する壁を有する。
【０１６７】
本発明の別の態様では、吸入可能な乾燥粉末を吸入するための吸入器が提供され、この吸入器は、
（ａ）第１殻部及び第２殻部を含む外殻と、
（ｂ）カプセルを保持するためのチャンバ、チャンバ内に保持されたカプセルを壊して開けるためのカプセル破壊器、及びカプセル破壊器に、カプセルを壊して開けさせるためのトリガを含むカプセルホルダと、
（ｃ）カプセルホルダを支持するための支持体と、
（ｄ）カプセルから使用者内への乾燥粉末の通過のための出口と、を備え、
カプセルホルダは、第１殻部内に位置決めされており、
第１殻部は、トリガが通って突出する開口を含み、
開口は、第１殻部のリムに切欠きを含み、カプセルホルダが第１殻部から取り外されるときに、トリガは、切欠きを通過することができ、
支持体は、第１殻部上の１つ以上の第２嵌合部と嵌合するための１つ以上の第１嵌合部を含み、第１及び第２嵌合部は、第１及び第２嵌合部が相互に係合しているとき、第１殻部の壁の外向きの動きを防止する。
【０１６８】
本明細書において、「外向きの動きの防止」への言及は、壁（複数可）が、約１ｍｍを超えて、好ましくは約０．８ｍｍを超えて、好ましくは約０．５ｍｍを超えて、好ましくは約０．３ｍｍを超えて、好ましくは約０．２ｍｍを超えて、好ましくは約０．１ｍｍを超えて外向きに動くことができないことを意味することが好ましい。
【０１６９】
１つ以上の第３及び第４嵌合部を含む実施形態では、「外向きの動きの防止」とは、壁（複数可）が、１つ以上の第３嵌合部の長さ又は深さを超えて外向きに動くことができないことを意味することが好ましい。
【０１７０】
本明細書において、実施形態は、明確で簡潔な仕様が書かれるように記載されてきたが、実施形態は、本発明から逸脱することなく、様々に組み合わせられるか、又は分離できることが意図され、理解されよう。例えば、本明細書に記載されるすべての好ましい特徴は、本明細書に記載される本発明のすべての態様に適用可能であり、必要に応じてその逆も可能であることが理解されよう。
【０１７１】
ここで、本発明の例示的な実施形態を添付の図を参照して説明する。
【図面の簡単な説明】
【０１７２】
【図１】外殻がヒンジで開口しており、ヒンジ付きプレート及びマウスピースが開口構成にあり、トリガは内向きに押されている、本発明の吸入器の図を示す。
【図２】外殻が閉じている本発明の吸入器の図を示す。
【図３】外殻がヒンジで開口しており、ヒンジ付きプレート及びマウスピースが閉鎖構成にある、本発明の吸入器の図を示す。
【図４】外殻がヒンジで開口しており、ヒンジ付きプレート及びマウスピースが開口構成にあり、トリガが「静止」位置にある、本発明の吸入器の図を示す。
【図５】図４に示す吸入器の正面図を示す。
【図６】図１に示す吸入器の下からの斜視図を示す。
【図７】本発明の吸入器の分解図を示す。
【図８】吸入器の二重皮壁の拡大図を示す。
【図９】支持体及び第１殻部の突出部及び凹部／空洞の位置を示す概略図である。
【図１０】支持体及び第１殻部の突出部及び凹部／空洞の位置及び相対的な大きさを示す、図９の一部の拡大図である。
【発明を実施するための形態】
【０１７３】
本発明は、外部ケーシングの構造的完全性が改善されたカプセルから乾燥粉末を吸入するための吸入器に関する。
【０１７４】
図を参照すると、本発明の吸入器１は、第１殻部２ａ及び第２殻部２ｂを含む外殻２と、カプセル（図示せず）を保持するためのチャンバ４を含むカプセルホルダ３と、チャンバ４内に保持されたカプセルを壊して開けるためのカプセル破壊器５と、カプセル破壊器５に、カプセルを壊して開けさせるためのボタン６の形のトリガ６と、を含む。図示の例では、カプセル破壊器５は、一対の尖った棒５ａ、５ｂを含む。
【０１７５】
カプセルホルダ３は、図示の例ではヒンジ付きプレート７である支持体７によって定位置に保持されている。図３及び図４を特に参照すると、通常の使用中、ヒンジ付きプレート７は、カプセルホルダ３が第１殻部２ａ内に位置決めされるように、第１殻部２ａに解放可能に接続されている。
【０１７６】
吸入器はまた、マウスピース８の形の出口８を含み、使用者は、出口を通してチャンバ４内に保持されている破壊されたカプセルから粉末を吸入することができる。
【０１７７】
図６に示すように、ヒンジ付きプレート７はまた、トリガ６の横方向フランジ１０ａ、１０ｂが摺動する一対のチャネル９ａ、９ｂを介して、ヒンジ付きプレート７の下面とトリガ６が摺動可能に係合する状態で、トリガ６を支持する。これは、動作中に、トリガ６が押されたときに、トリガ６がある程度撓んだとしても、棒５ａ、５ｂの正しい整列を保証するため、特に有効である。
【０１７８】
図３及び図７に示すように、ヒンジ付きプレート７が第１殻部２ａに接続されているとき、すなわち通常の使用中、トリガ６は、第１殻部２ａの壁の開口１１を通って突出する。静止しているとき、トリガ６は、１つ以上のバネ（図示せず）によって、それが開口部１１を通って突出し、尖った棒５ａ、５ｂがチャンバ４内に保持されているカプセルと接触するように押されない位置に向かって付勢されている。トリガ６は、図２、図３、図４、及び図５に静止位置で示されている。
【０１７９】
使用者がカプセルホルダ３のチャンバ４内に保持されているカプセルを壊したいとき、トリガ６は、カプセルホルダ３に向かって内向きに押される。これにより、尖った棒５ａ、５ｂは、カプセルを壊して開け、カプセル内に含まれる粉末をチャンバ４に放出する。トリガ６は、図１及び図６に「押し込まれた」位置で示されている。
【０１８０】
理解されるように、トリガ６がチャネル９ａ、９ｂと係合した状態で、ヒンジ付きプレート７がそのヒンジ１２を中心に枢動できるようにヒンジ付きプレート７が第１殻部２ａから解放されたとき、トリガ６も第１殻部２ａから取り外される。これは、カプセルホルダ３の受容チャネル２５ａ、２５ｂ内の棒５ａ、５ｂの場所によってさらに支援される。好都合には、これは、第１殻部２ａのリム１４の切欠き１３によって容易に行われ、ヒンジ付きプレート７が第１殻部２ａから離れるように枢動するときに、トリガ６は、切欠きを通過する。
【０１８１】
残念ながら、切欠き１３を設けることにより吸入器の使いやすさが大幅に改善される一方で、これにより、第１殻部２ａの剛性が低下し、ヒンジ付きプレート７と第１殻部２ａとの間の接続の確実性に影響を与える可能性がある。理解されるように、ヒンジ付きプレート７は、トリガ６に対するカプセルホルダの位置が維持されるように、かつマウスピース８が開いたとき、すなわちマウスピース８が上向きに枢動し、ヒンジプレート７から離れたとき、又はトリガ６が押されたときに、カプセルホルダ３及びトリガ６が、第１殻部２ａから解放されないように、通常の使用中に第１殻部２ａに接続されたままであることが重要である。第１殻部２ａが十分に堅くない場合、ヒンジ付きプレート７と第１殻部２ａとの間の「スナップフィット」接続は予期せずに解放される可能性があり、これは明らかに望ましくない。
【０１８２】
また、図３に示すように、ならびに図４、図５、及び図７に示すトリガ６の形状をさらに参照すると、トリガ６は、トリガ６の「静止」位置でリムの切欠き内に位置している突起１５を含む。これにより、第１殻部２ａに、切欠き１３の周りでの第１殻部２ａの内向きの動きを防止する構造的支持が追加される。さらなる支持を提供するために、ヒンジ付きプレート７は、リム１４の切欠き１３内に位置する突起１６も含む。
【０１８３】
特に図５を参照すると、切欠き１３は開口１１よりも狭く、切欠き１３は突起１５を収容するように形作られ、開口１１はトリガ６の主本体２６を収容するように形作られている。この点で、切欠き１３の幅ｗ１は、開口１１の幅ｗ２よりも小さい。
【０１８４】
突起１５、１６は、第１殻部２ａの壁の内向きの動きを防止するが、外向きの動きを防止しない。実際、このような外向きの動きは、ヒンジ付きプレート７の第１殻部２ａへのスナップフィット接続にとって、この接続が第１殻部２ａの内壁の凹部１８ａ、１８ｂへの「クリップフィット」と係合するヒンジ付きプレート７の突出部１７ａ、１７ｂに依存するため、より大きいリスクを伴う。したがって、第１殻部２ａの壁が外向きに動くことを許可される場合、突出部１７ａ、１７ｂは、凹部１８ａ、１８ｂ内にもはや確実に位置しない。
【０１８５】
特に図９及び図１０を参照すると、第１殻部２ａの壁の外向きの動きを防止するために、ヒンジ付きプレート７は、一対の下向きに突出している突出部１９ａ、１９ｂを含み、それらは第１殻部２ａの二重皮壁２１内に形成された空洞２０ａ、２０ｂ内に受容される。図示の例では、突出部の長さｌは３ｍｍである。突出部１９ａ、１９ｂは、空洞２０ａ、２０ｂへの挿入中の位置ずれを許容し、第１殻部２ａの壁をしっかりと引っ張るために、先細の端部２９を有する。各突出部１９ａ、１９ｂの残部の厚さは実質的に均一であり、ヒンジ付きプレート７が下がると、突出部１７ａ、１７ｂが第１殻部２ａ上の凹部１８ａ、１８ｂと「スナップフィット」することができる。先細の端部とヒンジ付きプレート７との間の突出部１９ａ、１９ｂの内面３０は平坦である。図示の例では、突出部のこの平坦部ｆの長さは、１．５ｍｍである。これは、ヒンジ付きプレート７のわずかな回転移動があっても、壁が外向きに動くのを防止することを意味する。これはまた、ヒンジ付きプレート７が、制御された力で第１殻部２ａから係合解除することを保証する。
【０１８６】
空洞２０ａ、２０ｂの開口部２７と凹部１８ａ、１８ｂの上縁部２８との間の垂直距離ｖは１ｍｍである。その結果、当該垂直距離と突出部１９ａ、１９ｂの長さとの間には２ｍｍの差、又は当該垂直距離と平坦部３０の長さとの間には０．５ｍｍの差がある。これは、ヒンジ付きプレート７が第１殻部との係合から外れたときに、突出部１７ａ、１７ｂは、突出部１９ａ、１９ｂが空洞２０ａ、２０ｂから係合解除する前に、凹部１８ａ、１８ｂから係合解除されることを意味する。
【０１８７】
これはまた、ヒンジ付きプレート７が第１殻部２ａと係合するように動いたとき、突出部１９ａ、１９ｂと空洞２０ａ、２０ｂとは、突出部１７ａ、１７ｂと凹部１８ａ、１８ｂとの係合の前に係合することを意味する。これにより、突出部１９ａ、１９ｂと空洞２０ａ、２０ｂとの係合が可能になり、第１殻部２ａが安定し、突出部１７ａ、１７ｂと凹部１８ａ、１８ｂとの確実な「スナップフィット」係合が可能になる。
【０１８８】
図９は、突出部１７ａ、１７ｂ、１９ａ、１９ｂ、凹部１８ａ、１８ｂ、及び空洞２０ａ、２０ｂの相対的な位置及び大きさを示す、第１殻部２ａ及びヒンジ付きプレート７の概略断面図を示す。
【０１８９】
空洞２０ａ、２０ｂ内に位置決めされた突出部１９ａ、１９ｂにより、第１殻部壁の外向きの動きが防止される。突出部１９ａ、１９ｂの長さは、ヒンジ付きプレート７が第１殻部２ａと係合するように動いたとき、突出部１７ａ、１７ｂが凹部１８ａ、１８ｂとの「スナップフィット」接続で係合する前に、突出部１９ａ、１９ｂが空洞２０ａ、２０ｂと係合し、ヒンジ付きプレート７が第１殻部２ａとの係合から外れるように「スナップフィット」接続を係合解除した後に、突出部１９ａ、１９ｂが空洞２０ａ、２０ｂと係合解除するような長さである。これにより、「スナップフィット」接続の係合中及び係合後の両方で第１殻部２ａの壁に剛性がもたらされ、ヒンジ付きプレート７と第１殻部２ａとが係合したときに「スナップフィット」接続の完全な状態が常に維持されていることを保証する。
【０１９０】
第１殻部２ａの二重皮壁２１は、外向きの動きを防止するように作用するだけでなく、第１殻部２ａにさらなる構造的剛性も提供する。これに関して、特に図１を参照すると、二重皮壁２１は、切欠きの両側及び開口１１の上部に補強した外壁を提供する。
【０１９１】
図１にも示すように、二重皮壁２１は、二重皮壁２１の当該内皮と外皮との間の空間を複数の空洞２０に分割する横材２２を含む。さらに、二重皮壁の厚さは、切欠き１３から遠位のより太い厚さから、切欠き１３の、又はその付近のより薄い厚さまで先細りになっている。複数の空洞を形成する横材を有する先細りの二重皮壁のこの構成は、ヒンジ付きプレート７の下向きに突出している突出部１９との係合を介して第１殻部２ａの壁の外向きの動きを防止するだけでなく、この構成によって付与された構造的支持を介してこのような外向きの動きを防止することで特に効果的であることが見出された。
【０１９２】
第１殻部２ａには、第１殻部２ａに構造的支持を提供するための複数のリブ２４も設けられている。
【０１９３】
第１及び第２殻部２ａ、２ｂは、第１殻部２ａのリム１４の下の第１殻部２ａの外側に位置決めされたヒンジ１２によって一緒に連結されている。
【０１９４】
特に図２を参照すると、第２殻部２ｂは、そのリム２３が第１殻部２ａのリム１４の切欠き１３と重なるように形作られている。これは、外殻が閉位置にあるときに、切欠き１３の周りの吸入器にさらなる構造的支持を提供する。第２殻部２ｂのリム２３も、ヒンジ１２に隣接する第１殻部２ａと重なるように形作られている。これはまた、外殻２ａ、２ｂが閉位置にあるときに、ヒンジ１２にさらなる構造的支持を提供するため、有効である。
【０１９５】
図２からも明らかなように、第２殻部２ｂのリム２３は、ヒンジ１２に隣接し、切欠き１３の上で、ヒンジ１２と切欠き１３との間の位置よりも大きい量だけ第１殻部２ａと重なる。このような形状のリム輪郭は、第２殻部２ｂの強度を高めるだけでなく、外殻２ａ、２ｂを形成する材料の量を最小限に抑えることが見出されているため、これは有効である。
【０１９６】
本明細書に記載の現在の好ましい実施形態に対する様々な変更及び修正は、当業者には明らかであることを理解されたい。このような変更及び修正は、本発明の精神及び範囲から逸脱することなく、またそれに付随する利点を損なうことなく行うことができる。したがって、このような変更及び修正は、添付の特許請求の範囲に含まれることが意図されている。
【図１】
2021500095.tif 000003
【図２】
2021500095.tif 000004
【図３】
2021500095.tif 000005
【図４】
2021500095.tif 000006
【図５】
2021500095.tif 000007
【図６】
2021500095.tif 000008
【図７】
2021500095.tif 000009
【図８】
2021500095.tif 000010
【図９】
2021500095.tif 000011
【図１０】
2021500095.tif 000012
【国際調査報告】
2021500095.tif 000013
2021500095.tif 000014
2021500095.tif 000015
2021500095.tif 000016